(57)【特許請求の範囲】
【請求項１】
屈曲性を有する配線基板上に、複数のＬＥＤ素子を含むＬＥＤ実装部が、前記配線基板上に一定の間隔で一定の方向に配列されている配列構造を有し、
当該配列構造は、前記ＬＥＤ実装部がある部分と無い部分が繰り返される配列であって、
前記ＬＥＤ実装部の配列方向の寸法と、配列における前記ＬＥＤ実装部間の間隔とが同一である、
ＬＥＤ実装基板。
【請求項２】
配列されている前記ＬＥＤ実装部と、前記配線基板の前記ＬＥＤ実装部が無い部分とは、これらの境界部分が前記ＬＥＤ実装部の配列方向に垂直な方向の辺の中央部分に位置している、
請求項１に記載のＬＥＤ実装基板。
【請求項３】
前記ＬＥＤ実装部の縁部のうちで前記ＬＥＤ実装部の配列方向に平行な一辺と、前記ＬＥＤ実装部がある前記配線基板の縁部が重なっている、
請求項１に記載のＬＥＤ実装基板。
【請求項４】
前記ＬＥＤ実装部は、平面的にみて外周が正方形である、
請求項１又は２に記載のＬＥＤ実装基板。
【請求項５】
請求項１に記載の前記ＬＥＤ実装基板が前記ＬＥＤ実装部の配列方向と垂直な方向に並べて配置された面発光体であって、
前記ＬＥＤ実装基板の前記ＬＥＤ実装部と、隣り合う他の前記ＬＥＤ実装基板の前記ＬＥＤ実装部が無い部分とが重なり合って、前記ＬＥＤ実装基板同士が嵌め合わされている、
面発光体。
【請求項６】
請求項１又は２に記載の前記ＬＥＤ実装基板の前記ＬＥＤ実装部が無い部分の前記配線基板の上に隣り合う前記ＬＥＤ実装基板の前記ＬＥＤ実装部が複数重なり嵌め合わされて嵌合している、
面発光体。
【請求項７】
請求項３に記載の前記ＬＥＤ実装基板を２本組み合わせた面発光体であって、
一方の前記ＬＥＤ実装基板の前記ＬＥＤ実装部が無い部分の配線基板と、他方の前記ＬＥＤ実装基板のＬＥＤ実装部が無い部分の配線基板とが重ならないように嵌め合わされている、
面発光体。
【請求項８】
請求項５から７のいずれか１項に記載の面発光体を筐体に形成された開口部に嵌め込んでいる、
映像表示装置。
【発明の詳細な説明】
【技術分野】
【０００１】
本開示の発明は、複数のＬＥＤ素子を基板上に取り付けて構成されるＬＥＤ実装基板及びこれを用いた面発光体並びに映像表示装置に関するものである。
【背景技術】
【０００２】
従来の映像表示装置は、複数のＬＥＤ素子を平面状の硬い板状の基板に実装し、これを樹脂ケースに収納したものを一つの面発光体としたものが主であり、面発光体同士を繋げることや、面発光体を筐体に固定することで、映像表示装置を構成していた。平面状の硬い板状の基板は湾曲させることが困難であるため、平面や曲率が大きな箇所に映像表示装置の設置場所が限られてしまうという課題があった。【０００３】
特許文献１の面発光体では、電気配線を有した屈曲可能な基板と、この基板上にほぼ規則的に配置される複数のＬＥＤ素子と、ＬＥＤ素子の表面に張設されるトップフィルムとを備えて成る面発光体を開示している。
【先行技術文献】
【特許文献】
【０００４】
【特許文献１】特開２０１１−２１５６４１号公報
【発明の概要】
【発明が解決しようとする課題】
【０００５】
特許文献１の面発光体は、屈曲可能な基板を用いているが、映像表示装置を大型化するためにその長さおよび幅を拡大するためには、個々の面発光体を接続する接続機構が別に必要となる課題があった。この発明は、上記のような問題点を解決するためになされたものであり、容易に映像表示装置の大型化が可能なＬＥＤ実装基板及びこれを用いた面発光体並びに映像表示装置を得ることを目的としている。
【課題を解決するための手段】
【０００６】
本発明に係るＬＥＤ実装基板は、屈曲性を有する配線基板上に、複数のＬＥＤ素子を含むＬＥＤ実装部が、配線基板上に一定の間隔で一定の方向に配列されている配列構造を有し、この配列構造は、ＬＥＤ実装部がある部分と無い部分が繰り返される配列であって、ＬＥＤ実装部の配列方向の寸法と、配列におけるＬＥＤ実装部間の間隔とが同一であることを特徴とする。本発明に係る面発光体は、ＬＥＤ実装基板のＬＥＤ実装部と、隣り合う他のＬＥＤ実装基板のＬＥＤ実装部が無い部分とが重なり合って、ＬＥＤ実装基板同士が嵌め合わされていることを特徴とする。
【発明の効果】
【０００７】
この発明によれば、上記構成とすることで映像表示装置の大型化が容易に可能となる。
【図面の簡単な説明】
【０００８】
【図１】実施の形態１にかかる映像表示装置における面発光体を構成するＬＥＤ実装基板の平面概要図である。
【図２】実施の形態１にかかる映像表示装置における面発光体の映像表示面の一部斜視拡大図である。
【図３】実施の形態１にかかる映像表示装置における面発光体を構成するＬＥＤ実装基板に部品実装部を備えた場合の平面概要図である。
【図４】実施の形態１にかかる映像表示装置における面発光体を構成するＬＥＤ実装基板に部品実装部を備えた場合の平面概要図である。
【図５】実施の形態２にかかる映像表示装置における面発光体を構成するＬＥＤ実装基板の平面概要図である。
【図６】実施の形態３にかかる映像表示装置における面発光体を構成するＬＥＤ実装基板の平面概要図である。
【図７】実施の形態４にかかる映像表示装置における面発光体の映像表示面の裏面の平面概要図である。
【図８】実施の形態４にかかる映像表示装置における面発光体の映像表示面の平面概要図である。
【図９】実施の形態４にかかる映像表示装置における面発光体の映像表示面の斜視図である。
【図１０】実施の形態４にかかる映像表示装置における面発光体を構成するＬＥＤ実装基板を勘合させた二つの嵌合ＬＥＤ実装基板の平面概要図である。
【図１１】実施の形態４にかかる二つの嵌合ＬＥＤ実装基板を重ね合わせた面発光体の平面概要図である。
【図１２】実施の形態４にかかる映像表示装置における面発光体の垂直方向の端部の凹凸をなくした平面説明図である。
【図１３】実施の形態４にかかる映像表示装置における面発光体の垂直方向の端部の凹凸をなくした平面概要図である。
【図１４】実施の形態４にかかる映像表示装置における面発光体を構成するＬＥＤ実装基板の映像表示面の一部断面図である。
【図１５】実施の形態４にかかる映像表示装置における面発光体を構成するＬＥＤ実装基板の映像表示面の裏面の一部断面図である。
【図１６】実施の形態４にかかる映像表示装置における面発光体を構成するＬＥＤ実装基板の映像表示面の裏面の一部断面図である。
【図１７】実施の形態４にかかる映像表示装置における面発光体の表面に樹脂がコーティングされた場合の面発光体の映像表示面の断面概要図である。
【図１８】実施の形態４にかかる映像表示装置における面発光体の背面に遮光部材を配置した場合の面発光体の映像表示面の断面概要図である。
【図１９】実施の形態４にかかる映像表示装置における面発光体を構成するＬＥＤ実装基板を構成するＬＥＤ実装部と接続部とが接着された場合の面発光体の断面概要図である。
【図２０】実施の形態５にかかる映像表示装置における面発光体の映像表示面の裏面の平面概要図である。
【図２１】実施の形態５にかかる映像表示装置における面発光体の映像表示面の平面概要図である。
【図２２】実施の形態５にかかる映像表示装置における面発光体の映像表示面の斜視図である。
【図２３】実施の形態５にかかる映像表示装置における面発光体を構成する二つのＬＥＤ実装基板の平面概要図である。
【図２４】実施の形態５にかかる映像表示装置における面発光体を構成するＬＥＤ実装基板を勘合させた二つの勘合ＬＥＤ実装基板の平面概要図である。
【図２５】実施の形態５にかかる二つの勘合ＬＥＤ実装基板を重ね合わせた面発光体の平面概要図である。
【図２６】実施の形態５にかかる映像表示装置における面発光体を構成するＬＥＤ実装基板の映像表示面の一部断面図である。
【図２７】実施の形態５にかかる映像表示装置における面発光体を構成するＬＥＤ実装基板の映像表示面の裏面の一部断面図である。
【図２８】実施の形態６にかかる映像表示装置における面発光体の映像表示面の裏面の平面概要図である。
【図２９】実施の形態６にかかる映像表示装置における面発光体の映像表示面の平面概要図である。
【図３０】実施の形態６にかかる映像表示装置における面発光体の映像表示面の斜視図である。
【図３１】実施の形態６にかかる映像表示装置を構成する配列方向に配列したＬＥＤ実装基板である。
【図３２】実施の形態６にかかる映像表示装置を構成する垂直方向に配列したＬＥＤ実装基板である。
【図３３】実施の形態７にかかる映像表示装置の平面図及び側面図である。
【図３４】実施の形態７にかかる映像表示装置の使用態様を示す構成説明図である。
【発明を実施するための形態】
【０００９】
実施の形態１．
本実施の形態１に係るＬＥＤ実装基板は、屈曲性を有する配線基板上に、複数のＬＥＤ素子を含むＬＥＤ実装部が、配線基板上に一定の間隔で一定の方向に配列されており、この配列は、ＬＥＤ実装部がある部分と無い部分が繰り返される配列であって、ＬＥＤ実装部の配列方向の寸法と、配列におけるＬＥＤ実装部間の間隔とが同一であることを特徴とする。以下、図面を参照して、本発明の実施の形態について説明する。尚、各図において共通あるいは相当する要素には、同一の符号を付して、重複する説明を省略する。なお、この実施の形態によりこの発明が限定されるものではない。
【００１０】
図１に本実施の形態１にかかる映像表示装置の面発光体を構成するＬＥＤ実装基板の概要図を示す。本実施の形態１に係るＬＥＤ実装基板は、屈曲性を有する配線基板上に、複数のＬＥＤ素子を含むＬＥＤ実装部が、配線基板上に一定の間隔で一定の方向に配列されており、この配列は、ＬＥＤ実装部がある部分と無い部分が繰り返される配列であって、ＬＥＤ実装部の配列方向の寸法と、配列におけるＬＥＤ実装部間の間隔とが同一であることを特徴とする。図１に示すように、ＬＥＤ実装基板１１は、屈曲性を有する配線基板（後述する図２の５１）上に複数のＬＥＤ素子が実装された複数のＬＥＤ実装部２１と、この屈曲性を有する配線基板で構成され、複数のＬＥＤ実装部同士を接続する接続部３１とを備えている。以下、複数のＬＥＤ実装部間に配置されている配線基板で、ＬＥＤ実装部が無い部分を接続部として説明する。さらに、ＬＥＤ実装基板１１は、ＬＥＤ実装部２１と接続部３１が一定の間隔で一定の方向に配列されるように構成されている。ＬＥＤ実装部と接続部が配列する方向を配列方向、その垂直方向を垂直方向とするとき、配列されているＬＥＤ実装部２１と、接続部３１とは、これらの境界部分がＬＥＤ実装部２１の配列方向に垂直な方向の辺の中央部分に位置している。また、ＬＥＤ実装部２１の配列方向の寸法と、配列におけるＬＥＤ実装部間の間隔、すなわち接続部３１の配列方向の寸法とが同一である。この発明によれば、このように長尺のＬＥＤ実装基板を用いて、隣り合うＬＥＤ実装基板の実装部と接続部とが重なり嵌め合わされて形成される面発光体を映像表示装置として用いることで、容易に映像表示装置の大型化が可能となる。隣り合うＬＥＤ実装基板の実装部と接続部とが重なり嵌め合わされて形成される面発光体については実施の形態４以降の説明で詳述する。
【００１１】
図２は本実施の形態１にかかる映像表示装置の面発光体の映像表示面を構成するＬＥＤ実装基板の一部斜視拡大図である。図２では、ＬＥＤ実装基板１１のＬＥＤ実装部２１と接続部３１の境界付近を拡大して示している。ＬＥＤ実装基板１１は、ＬＥＤ実装部２１及び接続部３１から構成されており、これらは電気配線を有する屈曲性を有する配線基板５１で構成されている。ＬＥＤ実装基板１１のＬＥＤ実装部２１の映像表示面側には、ほぼ規則的に配置される複数のＬＥＤ素子４１が実装されている。ＬＥＤ実装基板１１には、図示されていないＬＥＤ駆動ＩＣなどのＬＥＤ制御用部品も実装されている。ＬＥＤ制御部品は、ＬＥＤ実装基板１１の接続部３１や、ＬＥＤ実装部２１の裏面側に実装される。
【００１２】
ＬＥＤ実装基板１１のＬＥＤ実装部２１及び接続部３１を構成する基板（配線基板５１）は、フィルム状やシート状の基材からなるものであり、基材として、柔軟性や屈強性を有する種々の材料が選択される。基材の材質としては、フィルム状やシート状への加工が容易であり、絶縁性、可撓性を有するものであれば、特に制限はないが、取り扱い性や加工性等の観点からプラスチックが望ましい。例えば、ポリイミド、ポリエチレンテレフタレート、ポリエステル、塩化ビニル、液晶ポリマー、エポキシ樹脂等を選択することができる。
【００１３】
また、ＬＥＤ実装基板１１を構成する配線基板５１には、ＬＥＤ素子４１を点灯させることが可能となるように、信号や電力をＬＥＤ素子４１やＬＥＤ制御用部品に供給するための電気配線が設けられている。電気配線を形成する方法については特に制限されない。例えば、基材と金属箔の積層体をエッチングする方法、めっきにより金属を析出する方法、導電性ペーストを印刷する方法等が上げられる。さらに、ＬＥＤ実装基板１１の配線基板５１の表面には、絶縁のために、レジストやカバーフィルムで被覆されてもよい。映像表示装置のコントラストを向上させるために、ＬＥＤ実装基板のＬＥＤ周囲が黒色になっていても良い。例えば、ＬＥＤ実装基板１１の配線基板５１の表面を保護するレジストやカバーフィルムが黒色であってもよい。
【００１４】
さらに、ＬＥＤ実装部２１の側辺にＬＥＤ制御用部品を実装する部品実装部を別に設けても良い。図３及び図４は、映像表示装置における面発光体を構成するＬＥＤ実装基板のＬＥＤ実装部に部品実装部を備えた場合の概要図である。図３に示すように、ＬＥＤ実装部２１の側辺に、ＬＥＤ制御用部品を実装する部品実装部６１を別に設けても良い。また、図４に示すように、ＬＥＤ実装部２１の接続部３１との境界となる辺の一部を延長してＬＥＤ制御用部品を実装する部品実装部６１を別に設けても良い。これらの部品実装部６１は、複数のＬＥＤ実装基板に嵌合したときには、面発光体のＬＥＤ実装部の映像表示面の裏面側に配置される。
【００１５】
この発明によれば、このように長尺のＬＥＤ実装基板を用いて、隣り合うＬＥＤ実装基板の実装部と接続部とが重なり嵌め合わされて形成される面発光体を映像表示装置として用いることで、容易に映像表示装置の大型化が可能となる。
【００１６】
実施の形態２．
実施の形態１では、屈曲性を有する配線基板上に、複数のＬＥＤ素子を含むＬＥＤ実装部が、配線基板上に一定の間隔で一定の方向に配列されており、この配列は、ＬＥＤ実装部がある部分と無い部分が繰り返される配列であって、ＬＥＤ実装部の配列方向の寸法と、配列におけるＬＥＤ実装部間の間隔とが同一であり、配列されているＬＥＤ実装部と、配線基板のＬＥＤ実装部が無い部分とは、これらの境界部分がＬＥＤ実装部の配列方向に垂直な方向の辺の中央部分に位置していることを特徴とするＬＥＤ実装基板について説明したが、実施の形態２のＬＥＤ実装基板は、ＬＥＤ実装部の縁部のうちでＬＥＤ実装部の配列方向に平行な一辺と、ＬＥＤ実装部がある配線基板の縁部が重なっている場合について説明する。図５は、本実施の形態２にかかる映像表示装置における面発光体を構成するＬＥＤ実装基板の平面概要図である。ＬＥＤ実装基板１６は、ＬＥＤ実装部２６の一辺と接続部３６の一辺が一つの直線上に整列するように、すなわち、ＬＥＤ実装部２６の縁部のうちでＬＥＤ実装部の配列方向に平行な一辺と、ＬＥＤ実装部がある配線基板の縁部が重なるように、ＬＥＤ実装部２６と接続部３６が交互に配置される。交互に配置されたＬＥＤ実装部２６と接続部３６の、直線状に並べられたそれぞれの一辺の長さは同一の長さである。この発明によれば、このように長尺のＬＥＤ実装基板を用いて、隣り合うＬＥＤ実装基板の実装部と接続部とが重なり嵌め合わされて形成される面発光体を映像表示装置として用いることで、容易に映像表示装置の大型化が可能となる。さらに、このＬＥＤ実装基板を用いた面発光体における映像表示装置では、ＬＥＤ実装基板の配列方向に特に長尺性が必要とされる箇所に有用である。
【００１７】
実施の形態３．
また、図６に、ＬＥＤ実装部は正方形であり、また、接続部の長さは、ＬＥＤ実装部の１辺と同等の長さである場合におけるＬＥＤ実装基板について説明する。図６は映像表示装置における面発光体を構成するＬＥＤ実装基板の平面概要図を示す。図６に示すように、本実施の形態３にかかる面発光体を構成するＬＥＤ実装基板は、複数のＬＥＤ素子が実装された複数のＬＥＤ実装部９６と、このＬＥＤ実装部同士を接続する接続部９７とを含む屈曲性を有するＬＥＤ実装基板１８とから構成されている。接続部９７はＬＥＤ実装部９６の中央付近に配置されている。ＬＥＤ実装部９６は正方形であり、また、接続部９７の長さは、ＬＥＤ実装部９６の１辺と同等の長さである。ここで、正方形とは、平面的にみて外周が正方形であることを意味する。この発明によれば、このように長尺のＬＥＤ実装基板を用いて、隣り合うＬＥＤ実装基板の実装部と接続部とが重なり嵌め合わされて形成される面発光体を映像表示装置として用いることで、容易に映像表示装置の大型化が可能となる。さらに、このＬＥＤ実装基板を用いた面発光体における映像表示装置では、複数のＬＥＤ実装基板を編むように重ねて嵌め合わせて面発光体を形成することが可能となるため、より強度が増す映像表示装置の構成となっている。
【００１８】
実施の形態４．
本実施の形態４に係る面発光体は、実施の形態１のＬＥＤ実装基板がＬＥＤ実装部の配列方向と垂直な方向に並べて配置された面発光体であって、ＬＥＤ実装基板のＬＥＤ実装部と、隣り合う他のＬＥＤ実装基板のＬＥＤ実装部が無い部分とが重なり合って、ＬＥＤ実装基板同士が嵌め合わされていることを特徴とする。すなわち、隣り合う実施の形態１のＬＥＤ実装基板の一方のＬＥＤ実装部と他方の接続部とが重なり嵌め合わされて嵌合していることを特徴とする。図７に本実施の形態４にかかる映像表示装置の面発光体１の映像表示面の裏面の平面概要図を示す。図７で示された面発光体１を構成するＬＥＤ実装基板は、それぞれ接続部がＬＥＤ実装部の中央付近に配置されているＬＥＤ実装基板である。面発光体は、隣り合うＬＥＤ実装基板のＬＥＤ実装部と接続部とが重なり嵌めあわされて構成されている。図７に示す映像表示装置の面発光体１の映像表示面の裏面において、隣り合う３つのＬＥＤ実装基板をＬＥＤ実装基板１２、ＬＥＤ実装基板１３、ＬＥＤ実装基板１４とする。ＬＥＤ実装基板１２はＬＥＤ実装部２２と接続部３２で構成されている。ＬＥＤ実装基板１３はＬＥＤ実装部２３と接続部３３で構成されている。ＬＥＤ実装基板１４はＬＥＤ実装部２４と接続部３４で構成されている。
【００１９】
ＬＥＤ実装基板１２のＬＥＤ実装部２２の側辺（図７中のＡの太線矢印箇所）と、ＬＥＤ実装基板１４のＬＥＤ実装部２４の側辺（図７中のＢの太線矢印箇所）が、ＬＥＤ実装基板１３の接続部３３に重なり嵌めあわされて配置される。このとき、ＬＥＤ実装基板１２のＬＥＤ実装部２２の側辺と、ＬＥＤ実装基板１４のＬＥＤ実装部２４の側辺は、ＬＥＤ実装基板１２のＬＥＤ実装部２２の映像表示面の裏面側および、ＬＥＤ実装基板１４のＬＥＤ実装部２４の映像表示面の裏面側が、ＬＥＤ実装基板１３の接続部３３に接する形で重なり嵌めあわされて嵌合される。また、映像表示面側においては、ＬＥＤ実装基板１２のＬＥＤ実装部２２と、ＬＥＤ実装基板１４のＬＥＤ実装部２４は、辺を接するように配置される。また、映像表示面の裏面側においては、ＬＥＤ実装基板１３のＬＥＤ実装部２３の側辺は、ＬＥＤ実装基板１２の接続部３２およびＬＥＤ実装基板１４の接続部３４に重なり嵌めあわされて嵌合され配置される。このとき、ＬＥＤ実装基板１３のＬＥＤ実装部２３の側辺は、ＬＥＤ実装基板１３のＬＥＤ実装部２３の映像表示面の裏面が、ＬＥＤ実装基板１２の実装部２２およびＬＥＤ実装基板１４の接続部３４に重なり嵌めあわされて嵌合されるように配置される。ここでは、隣り合う３つのＬＥＤ実装基板、ＬＥＤ実装基板１２、ＬＥＤ実装基板１３、ＬＥＤ実装基板１４を用いて説明したが、他のＬＥＤ基板も同様に嵌合することで、本実施の形態４にかかる映像表示装置の面発光体を構成する。
【００２０】
図８に本実施の形態４にかかる映像表示装置における面発光体の映像表示面の平面概要図を示す。図８に示すように、映像表示装置の面発光体１の映像表示面においては、複数のＬＥＤ素子が実装された複数のＬＥＤ実装部２１が一定間隔で配列されている。隣り合うＬＥＤ実装基板の実装部と接続部とが重なり嵌め合わされて形成されている。よって、面発光体１の映像表示面においては、ＬＥＤ実装基板１１のＬＥＤ素子が実装されたＬＥＤ実装部２１が互い違いに配列されるように構成されている。交互に配置されたＬＥＤ実装部２１と接続部３１のそれぞれの一辺の長さはほぼ同じ長さである。
【００２１】
図９に本実施の形態４にかかる映像表示装置の面発光体１の映像表示面の部分斜視図を示す。図９では、ＬＥＤ実装基板１１は、複数のＬＥＤ素子が実装された複数のＬＥＤ実装部２１と、ＬＥＤ実装部２１同士を接続する接続部３１とを含み、屈曲性を有する。屈曲性を有するとは、上述したように、配線基板５１が、フィルム状やシート状の基材からなるものであり、基材として、柔軟性や屈強性を有する種々の材料が選択された配線基板を用いたものである。面発光体１の映像表示面においては、複数のＬＥＤ素子が実装された複数のＬＥＤ実装部２１が一定間隔で配列されている。ＬＥＤ実装基板のＬＥＤ実装部の側辺の裏面側に隣に接するＬＥＤ実装基板の接続部が配置されるように、複数のＬＥＤ実装基板を重なり嵌めあわされて嵌合し、面発光体を構成している。この発明によれば、このように長尺のＬＥＤ実装基板を用いて、隣り合うＬＥＤ実装基板の実装部と接続部とが重なり嵌め合わされて形成される面発光体を映像表示装置として用いることで、容易に映像表示装置の大型化が可能となる。
【００２２】
さらに、図１０に、本実施の形態４にかかる映像表示装置における面発光体を構成するＬＥＤ実装基板を重ね合わせた二つの嵌合ＬＥＤ実装基板の概要図を示す。図１１に二つの嵌合ＬＥＤ実装基板を重ね合わせた面発光体の概要図を示す。図１１に示した通り、垂直方向にＬＥＤ実装基板を複数重ね合わせた第一の嵌合ＬＥＤ実装基板８１と、同様に垂直方向にＬＥＤ実装基板を複数重ね合わせた第二の嵌合ＬＥＤ実装基板８２とを、配列方向に重ね合わせて、垂直方向及び配列方向に拡大した場合における映像表示装置おける面発光体を示す。図１２に示す面発光体は、図１０に示した通り、第一の嵌合ＬＥＤ実装基板８１の一端に接続部を突出させ、相対するように第二の嵌合ＬＥＤ実装基板８２の一旦に接続部を突出させ、それぞれ、第一の嵌合ＬＥＤ実装基板８１のＬＥＤ実装部の裏面側に、第二の嵌合ＬＥＤ実装基板８２の接続部を配置し、第二の嵌合ＬＥＤ実装基板８２のＬＥＤ実装部の裏面側に、第一の嵌合ＬＥＤ実装基板８１の接続部を配置して、第一の嵌合ＬＥＤ実装基板８１と第二の嵌合ＬＥＤ実装基板８２を重ね合わせて、図１１に示す配列方向に拡大した映像表示装置における面発光体を構成する。
【００２３】
大型の映像表示装置を構成する場合、全体の重量が大きくなるといった課題がある。大画面を構成する場合には、上記のように、嵌合ＬＥＤ基板で構成されるいくつかのユニットに分けることで、可搬性と設置の容易性の両立することが可能となる。また、本発明の映像表示装置は柔軟性を有するため、運搬する際に、折りたたんだり、ロール状に巻いたり、小型に収納することができる。嵌合ＬＥＤ基板で構成されるいくつかのユニットに分けることで、収納サイズを小さくすることも可能となり、可搬性を向上させることができる。
【００２４】
図１２に本実施の形態１にかかる映像表示装置における面発光体の垂直方向の端部の凹凸をなくした平面説明図を示す。また、図１３に本実施の形態４にかかる映像表示装置における面発光体の垂直方向の端部の凹凸をなくした平面概要図を示す。図１２に示すように、第一嵌合ＬＥＤ実装基板８１と第二嵌合ＬＥＤ実装基板８２とを嵌合し形成された嵌合ＬＥＤ実装基板８３に、その垂直方向端部の凹凸がなくなるように、ＬＥＤ実装基板１１のＬＥＤ実装部２１の半分の幅であるＬＥＤ実装基板１５のＬＥＤ実装部２５を嵌合している。面発光体の垂直方向のもう一方の端部の凹凸も同様にこの方法でなくすことが可能である。その結果、図１３に示すように、映像表示装置における面発光体の垂直方向の端部の凹凸をなくした面発光体を構成することができる。
【００２５】
図１４に、本実施の形態４にかかる映像表示装置における面発光体を構成するＬＥＤ実装基板の一部断面図を示す。断面は接続部を含む断面を示している。ＬＥＤ素子４１を複数実装したＬＥＤ実装部２１は、隣り合うＬＥＤ実装部２３に接続された接続部３３に嵌合し配置される。ＬＥＤ実装基板の両隣のＬＥＤ実装基板のＬＥＤ実装部の表面が隙間なくつながるように、ＬＥＤ実装基板の接続部は、ＬＥＤ実装基板の厚み分程度、映像表示面裏面側にずらして配置される。ＬＥＤ実装基板の接続部３３をずらして配置するために、ＬＥＤ実装基板のＬＥＤ実装部２１と接続部３３の境界端部に、接続部３３の１辺を延長するようにＬＥＤ実装部２３側にスリットが設けられている。このスリットを設けることで、ＬＥＤ実装基板の部品実装部２３の湾曲させることで、ＬＥＤ実装基板の接続部２２は、ＬＥＤ実装基板のＬＥＤ実装部２３が隣接するＬＥＤ実装基板のＬＥＤ実装部２１と隙間なくつながるように、ＬＥＤ実装基板の基板厚み分程度、映像表示面裏面側にずらして配置することが可能となる。
【００２６】
図１４を用いてスリットを設けた例を説明したが、ＬＥＤ実装基板のＬＥＤ実装部２３と接続部３３との境界端部付近を、湾曲させることのみでも、ＬＥＤ実装基板のＬＥＤ実装部２３が隣接するＬＥＤ実装基板のＬＥＤ実装部２１と隙間なくつながるように、ＬＥＤ実装基板の接続部３３を、ＬＥＤ実装基板の基板厚み分程度、映像表示面裏面側にずらして配置することが可能である。
【００２７】
図１５及び図１６に、本実施の形態２にかかる映像表示装置における面発光体を構成するＬＥＤ実装基板の映像表示面の裏面の一部断面図を示す。図１５に示すように、面発光体を構成するＬＥＤ実装基板の映像表示面の裏面側では、ＬＥＤ実装基板１１のＬＥＤ実装部２１の映像表示面の裏面側に嵌合し、ＬＥＤ実装基板の接続部３３が配置される。そして、ＬＥＤ実装基板の映像表示面の裏面側のうち、ＬＥＤ実装部２１にＬＥＤ制御用部品が実装されている。さらに、図１６に示すように、面発光体を構成するＬＥＤ実装基板の映像表示面の裏面側で、接続部３３にＬＥＤ制御用部品を実装する部品実装部６２が実装されていてもよい。
【００２８】
図１７に本実施の形態４にかかる映像表示装置における面発光体の表面に樹脂がコーティングされた場合の面発光体の映像表示面の断面概要図を示す。図１７に示すように、ＬＥＤ実装基板の配線基板５１にはＬＥＤ素子４１が実装されている。配線基板５１の表面には配線基板５１を保護するカバーレイフィルム９１に覆われていることが一般的である。面発光体の表面、すなわちＬＥＤ素子４１及びカバーレイフィルム９１は樹脂膜９２でコーティングされていてもよい。樹脂膜９２でコーティングすることで、防水機能を付与させることが可能である。また、樹脂膜９２で用いる樹脂に、耐候性、紫外線吸収性等の機能を持たせることで、面発光体の耐候性を向上させることが可能である。ここで用いる樹脂は、耐候性、紫外線吸収性を有するものであると同時に透明性が要求される。このような樹脂としては、アクリルフィルム、シクロオレフィンフィルム、オレフィンフィルム、等の単一樹脂フィルムや、機能の異なるフィルムを積層した多層フィルム等が上げられるが、これらに限定されるものではない。また、フィルム状やシート状でもよい。また、これらのフィルム状樹脂やシート状樹脂を、面発光体に貼り付ける手段としては、真空ラミネート、真空圧空成形、ＴＯＭ成形等が上げられるが、これらに限定されるものではない。フィルム状樹脂やシート状樹脂を面発光体に貼り付ける際に、粘着剤や接着剤を使用してもよい。
【００２９】
面発光体の表面のうち、樹脂膜９２で覆われる箇所は、面発光体を構成するＬＥＤ実装基板のＬＥＤ実装部のみでも良い。また、ＬＥＤ実装基板の表面のうち、ＬＥＤ素子上には樹脂膜９２で覆わず、そのほかの領域を、樹脂はコーティング、または、ＬＥＤ素子のみフィルム状またはシート状の樹脂で覆い、ＬＥＤ素子のみを露出させてもよい。
【００３０】
さらに、図１７に示すように、面発光体の強度を増強するために、映像表示面の裏面側に、補強部材９３を配置しても良い。補強部材として、金属薄板、樹脂薄板、ＦＲＰ薄板、ＣＦＲＰ薄板、ゴム板、等が上げられるが、これらに限定されるものではない。面発光体の映像表示面の凹凸を低くするために、これらの補強部材には、ＬＥＤ制御用部品形状に合わせた凹部や穴を形成していても良い。
【００３１】
図１８に本実施の形態４にかかる映像表示装置における面発光体の背面に遮光部材を配置した場合の面発光体の映像表示面の断面概要図を示す。図１８に示すように、面発光体の映像表示面の裏面側に、遮光部材９４を配置しても良い。遮光部材９４を配置することにより、背面からの光を遮断し、映像装置で表示される画像の見やすさが向上する。
【００３２】
図１９に本実施の形態４にかかる映像表示装置における面発光体を構成するＬＥＤ実装基板を構成するＬＥＤ実装部と接続部とが接着部９５で接着された場合の面発光体の断面概要図を示す。図１９で示した通り、ＬＥＤ実装基板のＬＥＤ実装部と隣接するＬＥＤ実装基板の接続部の重なり合う部分は強度の観点から接着されていてもよい。接着する方法として、ＬＥＤ実装部の映像表示面の裏面側と接続部の映像表示面側を、接着剤、スナップボタン材、粘着剤、等で固定する方法が上げられるが、これらに限定されるものではない。
【００３３】
この発明によれば、このように長尺のＬＥＤ実装基板を用いて、隣り合うＬＥＤ実装基板の実装部と接続部とが重なり嵌め合わされて形成される面発光体を映像表示装置として用いることで、容易に映像表示装置の大型化が可能となる。
【００３４】
実施の形態５．
ここまで、実施の形態１のＬＥＤ実装基板を用いた面発光体について説明したが、次に、実施の形態２のＬＥＤ実装基板の隣り合うＬＥＤ実装基板の実装部と接続部とが重なり嵌め合わされて面発光体について説明する。
【００３５】
図２０に本実施の形態５にかかる映像表示装置における面発光体の映像表示面の裏面の平面概要図を示す。面発光体２の映像表示面の裏面では、ＬＥＤ実装基板１６のＬＥＤ実装部２６のＬＥＤが実装された映像表示面の裏面上にＬＥＤ実装基板１７の接続部３７が配置され、ＬＥＤ実装基板１７のＬＥＤ実装部２７のＬＥＤが実装された映像表示面の裏面上にＬＥＤ実装基板１６の接続部３６が配置されている。図２１に本実施の形態２にかかる映像表示装置における面発光体の映像表示面の平面概要図を示す。面発光体２は、屈曲性を有するＬＥＤ実装基板１６のＬＥＤ実装部２６と、屈曲性を有するＬＥＤ実装基板１７のＬＥＤ実装部２７とが、交互に規則的に配置されるように構成されている。この実施の形態の面発光体は、ＬＥＤ実装基板を２本組み合わせており、一方のＬＥＤ実装基板の接続部と、他方のＬＥＤ実装基板の接続部とは重ならないように嵌め合わされている。
【００３６】
図２２に、本実施の形態５にかかる映像表示装置における面発光体の映像表示面の斜視図を示す。図２３では、ＬＥＤ実装基板１６を構成するＬＥＤ実装部２６とＬＥＤ実装基板１７を構成する接続部３７とが重なり嵌めあわされて嵌合している。また、ＬＥＤ実装基板１７を構成するＬＥＤ実装部２７とＬＥＤ実装基板１６を構成する接続部３６とが嵌合している。このように、ＬＥＤ実装基板のＬＥＤ実装部の裏面側辺部が対向するＬＥＤ実装基板の接続部上に配置されるように、ＬＥＤ実装基板同士を重なり嵌めあわされて嵌合し、面発光体２を構成している。この発明によれば、長尺のＬＥＤ実装基板を複数の基板を重なりつなぎ合わせて面発光体を構成することで、映像表示装置の大型化が容易に可能となる。特に、ＬＥＤ実装部の一辺と接続部の一辺が一つの直線上に整列するように、交互に周期的に配置され形成されたＬＥＤ実装基板を用いた面発光体では、配列方向に特に長尺性が必要とされる箇所に有用である。
【００３７】
図２３に、本実施の形態５にかかる映像表示装置における面発光体を構成する二つのＬＥＤ実装基板の平面概要図を示す。ＬＥＤ実装部の一辺と接続部の一辺が一つの直線上に整列するように、交互に周期的に配置され形成されたＬＥＤ実装基板を用いた面発光体２は、図２３に示されるように、ＬＥＤ実装基板１６およびＬＥＤ実装基板１７を重ね合わせることで形成されている。ＬＥＤ実装基板１６は、ＬＥＤ素子が実装される複数のＬＥＤ実装部２６と複数のＬＥＤ実装部２６を接続する接続部３６で構成されている。ＬＥＤ実装基板１６は、ＬＥＤ実装部２６の一辺と接続部３６の一辺が一つの直線上に整列するように、ＬＥＤ実装部２６と接続部３６が交互に配置される。交互に配置されたＬＥＤ実装部２６と接続部３６の、直線状に並べられたそれぞれの一辺の長さはほぼ同じ長さである。
【００３８】
ＬＥＤ実装基板１７は、ＬＥＤ実装基板１６と同様に、ＬＥＤ素子が実装される複数のＬＥＤ実装部２７と複数のＬＥＤ実装部２７を接続する接続部３７で構成されている。ＬＥＤ実装基板１７は、ＬＥＤ実装部２７の一辺と接続部３７の一辺が一つの直線上に整列するように、ＬＥＤ実装部２７と接続部３７が交互に配置される。交互に配置されたＬＥＤ実装部２７と接続部３７の、直線状に並べられたそれぞれの一辺の長さは同一の長さである。
【００３９】
ＬＥＤ実装基板１６とＬＥＤ実装基板１７とは、ＬＥＤ実装部と他方の接続部とが重なりあっている。すなわち、ＬＥＤ実装基板を２本組み合わせており、一方のＬＥＤ実装基板の接続部と、他方のＬＥＤ実装基板の接続部とは重ならないように嵌め合わされている。ＬＥＤ実装基板１６のＬＥＤ実装部２６の映像表示面の裏面側に、ＬＥＤ実装基板１７の接続部３７が配置され、ＬＥＤ実装基板１６のＬＥＤ実装部２６の映像表示面の裏面側に、ＬＥＤ実装基板１７の接続部３７が配置され、ＬＥＤ実装基板１６とＬＥＤ実装基板１７とが、重なり嵌めあわされて嵌合することで面発光体２を構成している。ＬＥＤ実装基板１６とＬＥＤ実装基板１７とが重なり嵌めあわされて嵌合することで、ＬＥＤ実装基板１６のＬＥＤ実装部２６とＬＥＤ実装基板１７のＬＥＤ実装部２７とが、交互に配置され、長尺の映像表示装置を構成することが可能となる。
【００４０】
ＬＥＤ実装基板１６とＬＥＤ実装基板１７について、ＬＥＤ実装部２６と接続部３６及びＬＥＤ実装部２７と接続部３７が配列する方向を長手方向、その垂直方向を垂直方向とするとき、ＬＥＤ実装基板１６とＬＥＤ実装基板１７とを重なり嵌めあわされて嵌合するために、ＬＥＤ実装基板１６の接続部３６およびＬＥＤ実装基板１７の接続部３７の垂直方向の長さは、ＬＥＤ実装基板１６のＬＥＤ実装部２６およびＬＥＤ実装基板１７のＬＥＤ実装部２７の垂直方向の２分の１以下となる。
【００４１】
面発光体２の映像表示面の凹凸を低くするために、ＬＥＤ実装基板１６のＬＥＤ実装部２６の映像表示面の裏面側およびＬＥＤ実装基板１７のＬＥＤ実装部２７の映像表示面の裏面側にＬＥＤ制御用部品が実装される場合には、ＬＥＤ実装基板１６のＬＥＤ実装部２６の映像表示面の裏面側およびＬＥＤ実装基板１７のＬＥＤ実装部２７の映像表示面の裏面側の、それぞれ、ＬＥＤ実装基板１７の接続部３７およびＬＥＤ実装基板１６の接続部３６が配置されない領域に実装されることが望ましい。
【００４２】
図２４に、本実施の形態５にかかる映像表示装置における面発光体を構成するＬＥＤ実装基板を重なり嵌めあわされて嵌合した二つの嵌合ＬＥＤ実装基板の平面概要図を示す。図２５に、本実施の形態２にかかる二つの嵌合ＬＥＤ実装基板を重なり嵌めあわされて嵌合した面発光体の平面概要図を示す。図２５に示した通り、図２５は配列方向にＬＥＤ実装基板を複数重なり嵌めあわされて嵌合させた第一の嵌合ＬＥＤ実装基板８４と、同様に配列方向にＬＥＤ実装基板を複数重なり嵌めあわされて嵌合させた第二の嵌合ＬＥＤ実装基板８５とを、配列方向に重なり嵌めあわされて嵌合させて、配列方向をさらに拡大した面発光体２を構成した場合を示す。図２５に示す面発光体は、図２４に示した通り、第一の嵌合ＬＥＤ実装基板８４の一端に接続部３６を突出させ、相対するように第二の嵌合ＬＥＤ実装基板８５の一旦に接続部３８を突出させ、それぞれ、第一の嵌合ＬＥＤ実装基板８４のＬＥＤ実装部２７の裏面側に、第二の嵌合ＬＥＤ実装基板８５の接続部３８を配置し、第二の嵌合ＬＥＤ実装基板８５のＬＥＤ実装部２９の裏面側に、第一の嵌合ＬＥＤ実装基板８４の接続部３６を配置して、第一の嵌合ＬＥＤ実装基板８４と第二の嵌合ＬＥＤ実装基板８５を重なり嵌めあわされて嵌合して、図２７に示す配列方向に拡大した面発光体２を構成する。嵌合の方法以外については、接続部がＬＥＤ実装部の中央付近に周期的に配置されているＬＥＤ実装基板の隣り合うＬＥＤ実装基板の実装部と接続部とが重なり嵌め合わされて面発光体と同様であり、説明を省略する。
【００４３】
大型の映像表示装置を構成する場合、全体の重量が大きくなるといった課題がある。大画面を構成する場合には、上記のように、嵌合ＬＥＤ基板で構成されるいくつかのユニットに分けることで、可搬性と設置の容易性を両立することが可能となる。また、本発明の映像表示装置は柔軟性を有するため、運搬する際に、折りたたんだり、ロール状に巻いたり、小型に収納することができる。嵌合ＬＥＤ基板で構成されるいくつかのユニットに分けることで、収納サイズを小さくすることも可能となり、可搬性を向上させることができる。
【００４４】
図２６に、本実施の形態５にかかる映像表示装置における面発光体を構成するＬＥＤ実装基板の映像表示面の一部断面図を示す。図２６に示すように、本実施の形態に係る面発光体２は、ＬＥＤ実装基板１６を構成する、複数のＬＥＤ素子５１が実装されたＬＥＤ実装部２６と、ＬＥＤ実装基板１７を構成する、複数のＬＥＤ素子５１が実装されたＬＥＤ実装部２７とが長手方向に交互に規則的に配置されている。ＬＥＤ実装基板１６のＬＥＤ実装部２６とＬＥＤ実装基板１７のＬＥＤ実装部２７の表面が隙間なくつながるように、ＬＥＤ実装基板１７の接続部３７は、ＬＥＤ実装基板１６の厚み分程度、映像表示面裏面側にずらして配置される。ＬＥＤ実装基板１７の接続部３７をずらして配置するために、ＬＥＤ実装基板１７のＬＥＤ実装部２７と接続部３７の境界端部に、ＬＥＤ実装部２７側にスリットが設けられている。このスリットを設けることで、ＬＥＤ実装基板１７のＬＥＤ実装部２７の湾曲させることで、ＬＥＤ実装基板１７の接続部３７は、ＬＥＤ実装基板１７のＬＥＤ実装部２７が隣接するＬＥＤ実装基板１６のＬＥＤ実装部２６と隙間なくにつながるように、ＬＥＤ実装基板１６の基板厚み分程度、映像表示面裏面側にずらして配置することが可能となる。本実施の形態５の面発光体ではスリットを設けたが、ＬＥＤ実装基板１７のＬＥＤ実装部２７の、ＬＥＤ実装部２７と接続部３７の境界端部付近を、湾曲させることのみでも、ＬＥＤ実装基板１７の接続部３７を、ＬＥＤ実装基板１６の基板の厚み分程度、映像表示面裏面側にずらして配置することが可能である。
【００４５】
図２７に、本実施の形態５にかかる映像表示装置における面発光体を構成するＬＥＤ実装基板の映像表示面の裏面の一部断面図を示す。図２７に示すように、本実施の形態２に係る面発光体２の裏面側では、ＬＥＤ実装基板１６のＬＥＤ実装部２６の映像表示面の裏面側の上に、ＬＥＤ実装基板１７の接続部３７が配置される。ＬＥＤ実装基板１６の映像表示面の裏面側のうち、ＬＥＤ実装部２６にＬＥＤ制御用部品が実装されている。ＬＥＤ実装基板１６のＬＥＤ実装部２６の映像表示面の裏面側の上に、ＬＥＤ実装基板１７の接続部３７が配置されているが、ＬＥＤ実装基板１７のＬＥＤ実装部２７の映像表示面の裏面側の上には、ＬＥＤ実装基板１６の接続部３６が配置される。図２７では、ＬＥＤ実装部２６にＬＥＤ制御用部品を実装した部品実装部６３が実装されているが、接続部３７にＬＥＤ制御用部品が実装されていても良い。
【００４６】
この発明によれば、このように長尺のＬＥＤ実装基板を用いて、隣り合うＬＥＤ実装基板の実装部と接続部とが重なり嵌め合わされて形成される面発光体を映像表示装置として用いることで、容易に映像表示装置の大型化が可能となる。さらに、このＬＥＤ実装基板を用いた面発光体における映像表示装置では、ＬＥＤ実装基板の配列方向に特に長尺性が必要とされる箇所に有用である。
【００４７】
実施の形態６．
ここまで、実施の形態１、２のＬＥＤ実装基板を用いた面発光体について説明したが、次に、実施の形態３のＬＥＤ実装基板の隣り合うＬＥＤ実装基板の実装部と接続部とが重なり嵌め合わされて面発光体について説明する。図２８に、本実施の形態６にかかる映像表示装置における面発光体の映像表示面の裏面の平面概要図、図２９に映像表示装置における面発光体の映像表示面の平面概要図を示す。面発光体３の映像表示面の裏面から見た時には、第１の配列方向に配列したＬＥＤ実装基板１８のＬＥＤ実装部９６の映像表示面の裏面側上側に、第２の配列方向に配列したＬＥＤ実装基板１８の接続部９７が配置され、第２の配列方向に配列したＬＥＤ実装基板１８のＬＥＤ実装部９６の映像表示面の裏面側上側に、第１の配列方向に配列したＬＥＤ実装基板１８の接続部９７が配置され、重なり嵌めあわされて嵌合させる。
【００４８】
図３０に、本実施の形態６にかかる映像表示装置における面発光体の映像表示面の斜視図を示す。図３０では、第１の配列方向に配列したＬＥＤ実装基板１８のＬＥＤ実装部９６の映像表示面の裏面側上側に、第２の配列方向に配列したＬＥＤ実装基板１８の接続部９７が配置され、第２の配列方向に配列したＬＥＤ実装基板１８のＬＥＤ実装部９６の映像表示面の裏面側上側に、第１の配列方向に配列したＬＥＤ実装基板１８の接続部９７が配置され、重なり嵌めあわされて嵌合させている様子を斜視図で示している。
【００４９】
図３１に、本実施の形態６にかかる映像表示装置を構成する第１の配列方向に配列したＬＥＤ実装基板を示す。また、図３２に、本実施の形態６にかかる映像表示装置を構成する第２の配列方向に配列したＬＥＤ実装基板を示す。図３１に示すように、ＬＥＤ素子が実装された複数のＬＥＤ実装部９６と複数のＬＥＤ実装部を接続する接続部９７から構成される複数のＬＥＤ実装基板１８は、第１の配列方向に千鳥状に配置されるように並べられる。また、図３２に示すように、ＬＥＤ素子が実装された複数のＬＥＤ実装部９６と複数のＬＥＤ実装部を接続する接続部９７から構成される複数のＬＥＤ実装基板１８は、第２の配列方向に千鳥状に配置されるように並べられる。図３１のように第１の配列方向に配列したＬＥＤ実装基板と、図３２のように第２の配列方向に配列したＬＥＤ実装基板とをそれぞれ、ＬＥＤ実装部９６が表面に現れ、背面側に接続部９７が配置されるよう、編むように嵌めあわされて嵌合することで、面発光体３を構成する。即ち、第１の配列方向に配列したＬＥＤ実装基板１８の接続部９７の上に、第２の配列方向に配列したＬＥＤ実装基板１８のＬＥＤ実装部９６の映像表示面が来るように配置され、第２の配列方向に配列したＬＥＤ実装基板１８の接続部９７の上に、第１の配列方向に配列したＬＥＤ実装基板１８のＬＥＤ実装部９６の映像表示面が来るように配置され、重なり嵌めあわされて嵌合される。嵌合の方法以外については、先に示した面発光体と同様であり、ここでは説明を省略する。この発明によれば、長尺のＬＥＤ実装基板を複数の基板を嵌合させて面発光体を構成することで、映像表示装置の大型化が容易に可能となる。特に、ＬＥＤ実装部が正方形の面発光体では、複数のＬＥＤ実装基板編むように重なり嵌めあわされて嵌合することで、より強度が増す構成となっている。
【００５０】
実施の形態７．
本実施の形態４〜６において上記で説明した面発光体を用いた映像表示装置の構成について説明する。図３３は、本実施の形態７に係る映像表示装置の平面図及び側面図である。  図３３（ａ）は、本実施の形態７に係る映像表示装置１００の平面図である。図３３（ｂ）は、本実施の形態７に係る映像表示装置１００の側面図である。本実施の形態４〜６に係る面発光体は、屈曲性を有する配線基板上に複数のＬＥＤ素子が実装された複数のＬＥＤ実装部と、屈曲性を有する配線基板で構成され、複数のＬＥＤ実装部同士を接続する接続部とを備えることを特徴とするＬＥＤ実装基板の隣り合うこのＬＥＤ実装基板の実装部と接続部とが重なり嵌め合わされて形成されていることを特徴としており、映像表示装置の大型化のために、面発光体を固定するための筐体は特段不要であるが、筐体として、樹脂や炭素繊維強化プラスチックといった弾性をもつ材料を用いて映像表示装置１００を構成することもできる。図３３では、筐体を備えた場合における映像表示装置１００を示す。図３３では、筐体２００と、面発光体１とを備える。
【００５１】
筐体２００の形状は、特に限られず、筐体２００の材料としては、樹脂または炭素繊維強化プラスチック等の弾性を有する材料が用いられる。筐体２００を用いることにより、筐体２００の内部に配置される面発光体１を、水分、塵芥、及び外力から保護することができる。
【００５２】
筐体２００の１つの面には、開口部が形成されている。その開口部に、垂直方向及び長手方向にマトリクス状に配置された面発光体１が、嵌め込まれる。映像表示装置１００は、面発光体１が配置された表示画面を備え、任意の表示画面のサイズを実現することができる。
【００５３】
図３４は、本実施の形態７に係る映像表示装置の使用態様を示す構成説明図である。表示制御部１１１は、図３４に示すように、映像表示装置１００に備えられ、配線基板５１に配置される電気回路である。表示制御部１１１は、図示しない電源からＬＥＤ素子４１へ供給される電力を制御してＬＥＤ素子４１の輝度を調整することにより、ＬＥＤ素子４１を備える面発光体１の輝度及び発色を調整する。このようにして、表示制御部１１１は、映像表示装置１００に表示される映像の表示制御を行う。
【００５４】
映像表示装置１００は、図３４に示すように、コントローラ１１２を介してビデオ信号源１１３に接続される。ビデオ信号源１１３は、例えば、事前に保存されたビデオ信号をコントローラ１１２に出力するサーバである。コントローラ１１２は、ビデオ信号源１１３から入力されたビデオ信号を、映像表示装置１００における面発光体１のＬＥＤ素子４１の配列に合わせて変換し、面発光体１の輝度及び発色を決定し、表示制御部１１１に出力するコンピュータである。
【００５５】
このように、映像表示装置１００はマトリクス状に複数配置された面発光体１のＬＥＤ素子４１の輝度及び発色を個々独立に調整し、画像を表示する。そして、画像を時間の経過に従って変化させ、動画像（映像）を表示する。この発明によれば、長尺のＬＥＤ実装基板を複数の基板を重なりつなぎ合わせて面発光体を構成することで、映像表示装置の大型化が容易に可能となる。
【符号の説明】
【００５６】
１、２、３  面発光体、１１、１２、１３、１４、１５、１６、１７、１８  ＬＥＤ実装基板、２１、２２、２３、２４、２５、２６、２７、２８、２９、９６  ＬＥＤ実装部、３１、３２、３３、３４、３６、３７、３８  ９７  接続部  ４１、５１  ＬＥＤ素子、５１  配線基板、６１、６２、６３  部品実装部、８１、８４  第一嵌合ＬＥＤ実装基板、８２、８５  第二の嵌合ＬＥＤ実装基板、８３  嵌合ＬＥＤ実装基板、  ９１  カバーレイフィルム、９２  樹脂膜、９３  補強部材、９４  遮光部材、９５  接着部、１００  映像表示装置、１１１  表示制御部、１１２  コントローラ、１１３  ビデオ信号源、２００  筐体
【要約】
本発明に係るＬＥＤ実装基板は、屈曲性を有する配線基板上に、複数のＬＥＤ素子を含むＬＥＤ実装部が、配線基板上に一定の間隔で一定の方向に配列されており、この配列は、ＬＥＤ実装部がある部分と無い部分が繰り返される配列であって、ＬＥＤ実装部の配列方向の寸法と、配列におけるＬＥＤ実装部間の間隔とが同一であることを特徴とする。本発明に係る面発光体は、ＬＥＤ実装基板のＬＥＤ実装部と、隣り合う他のＬＥＤ実装基板のＬＥＤ実装部が無い部分とが重なり合って、ＬＥＤ実装基板同士が嵌め合わされていることを特徴とする。この発明によれば、上記構成とすることで映像表示装置の大型化が容易に可能となる。【図１】
0006719695.tif 000002
【図２】
0006719695.tif 000003
【図３】
0006719695.tif 000004
【図４】
0006719695.tif 000005
【図５】
0006719695.tif 000006
【図６】
0006719695.tif 000007
【図７】
0006719695.tif 000008
【図８】
0006719695.tif 000009
【図９】
0006719695.tif 000010
【図１０】
0006719695.tif 000011
【図１１】
0006719695.tif 000012
【図１２】
0006719695.tif 000013
【図１３】
0006719695.tif 000014
【図１４】
0006719695.tif 000015
【図１５】
0006719695.tif 000016
【図１６】
0006719695.tif 000017
【図１７】
0006719695.tif 000018
【図１８】
0006719695.tif 000019
【図１９】
0006719695.tif 000020
【図２０】
0006719695.tif 000021
【図２１】
0006719695.tif 000022
【図２２】
0006719695.tif 000023
【図２３】
0006719695.tif 000024
【図２４】
0006719695.tif 000025
【図２５】
0006719695.tif 000026
【図２６】
0006719695.tif 000027
【図２７】
0006719695.tif 000028
【図２８】
0006719695.tif 000029
【図２９】
0006719695.tif 000030
【図３０】
0006719695.tif 000031
【図３１】
0006719695.tif 000032
【図３２】
0006719695.tif 000033
【図３３】
0006719695.tif 000034
【図３４】
0006719695.tif 000035